(57)【要約】【課題】表示装置の位置調整を容易にする。【解決手段】ウェアラブルディスプレイ１Ａは、表示部材７１を介して装着者の瞳孔に画像光を導光する表示光学装置７０と、表示光学装置を支持するフレキシブル支持アーム３０（５０）とを備える。フレキシブル支持アーム３０は、左右位置調整用で、その一端の逆端に対する変位であって、当該一端におけるアーム中心軸に直交する一方向Ｘについての変位が、当該一端におけるアーム中心軸に直交する他の方向Ｚのそれに比較して容易に生じること、当該変位が生じても前記一端におけるアーム中心軸と前記逆端におけるアーム中心軸との平行を保つこと可能に支持する。フレキシブル支持アーム５０は、フレキシブル支持アーム３０と同構成であるが、上下位置調整用に配置転換して中間連結部４０を介して直列的に連結したものである。【選択図】図２
2017022668.tif 000002
【特許請求の範囲】
【請求項１】
表示部材を介して装着者の瞳孔に画像光を導光する表示光学装置と、前記表示光学装置を支持する支持アームとを備え、
前記支持アームは、その一端の逆端に対する変位であって、当該一端におけるアーム中心軸に直交する一方向についての変位が、当該一端におけるアーム中心軸に直交する他の方向の変位に比較して容易に生じること、当該変位が生じても前記一端におけるアーム中心軸と前記逆端におけるアーム中心軸との平行を保つこと可能に支持することを特徴とするウェアラブルディスプレイ。
【請求項２】
前記支持アームを２本と、当該２本の支持アームを直列的に連結する中間連結部とを備え、
各支持アームの前記一方向についての変位の方向を容易変位方向と称するとして、
前記中間連結部は、アーム中心軸の方向を略９０度転換するとともに、当該中間連結部との連結端における両アーム中心軸と平行な面に対して、一方の支持アームの容易変位方向を略平行に、他方の支持アームの容易変位方向を略垂直にして連結することを特徴とする請求項１に記載のウェアラブルディスプレイ。
【請求項３】
前記中間連結部にカメラが設置され、前記中間連結部から前記表示光学装置までの間の支持アームの容易変位方向が上下方向であることを特徴とする請求項２に記載のウェアラブルディスプレイ。
【請求項４】
前記表示光学装置と前記支持アームとは、当該表示光学装置との連結端におけるアーム中心軸回りに回動自在に連結していることを特徴とする請求項１から請求項３のうちいずれか一に記載のウェアラブルディスプレイ。
【請求項５】
前記支持アームの中に電気配線が通されて設置されたことを特徴とする請求項１から請求項４のうちいずれか一に記載のウェアラブルディスプレイ。
【請求項６】
前記支持アームが、眼鏡型のフレームのテンプルに着脱可能に連結されることを特徴とする請求項１から請求項５のうちいずれか一に記載のウェアラブルディスプレイ。
【請求項７】
前記支持アームは、眼鏡型のフレームの左右いずれのテンプルにも着脱可能に連結されるとともに、前記表示光学装置に着脱可能に連結され、左のテンプルに支持されて装着者の左目前に配置される前記表示光学装置を支持すること、及び右のテンプルに支持されて装着者の右目前に配置される前記表示光学装置を支持することに共用可能に構成されたことを特徴とする請求項１から請求項５のうちいずれか一に記載のウェアラブルディスプレイ。
【請求項８】
前記支持アームは、アーム中心軸及び容易変位方向に平行な面に直交する軸回りに回動する１軸継手により連結される複数の要素からなることを特徴とする請求項１から請求項７のうちいずれか一に記載のウェアラブルディスプレイ。
【請求項９】
前記複数の要素のそれぞれは、一端に形成されたオス嵌合部と、その逆端に形成され、隣接する他の要素における前記オス嵌合部と嵌合し前記１軸継手を構成するメス嵌合部とを一体に有する一部品であることを特徴とする請求項８に記載のウェアラブルディスプレイ。
【請求項１０】
前記複数の要素のそれぞれは、前記オス嵌合部の先端面から前記メス嵌合部に貫通するトンネルを有し、
隣接するいずれの２つの前記要素も、一方の要素の前記オス嵌合部と他方の要素の前記メス嵌合部との嵌合に伴い、両者の前記トンネルを連結させる請求項９に記載のウェアラブルディスプレイ。
【請求項１１】
前記複数の要素のそれぞれは、容易変位方向の寸法に比較して、アーム中心軸及び容易変位方向に垂直な方向の寸法が長く形成された扁平形状である請求項８から請求項１０のうちいずれか一に記載のウェアラブルディスプレイ。
【請求項１２】
前記支持アームは、容易変位方向を厚み方向としアーム中心軸方向に延びる板状であることを特徴とする請求項１から請求項７のうちいずれか一に記載のウェアラブルディスプレイ。
【発明の詳細な説明】
【技術分野】
【０００１】
本発明は、ウェアラブルディスプレイ（wearable display）に関する。
【背景技術】
【０００２】
近年、ウェアラブルディスプレイが上市されるようになり、新たな表示装置として数多くの活用事例が紹介されている。特に、シースルータイプの表示装置或いは視野の一部に画像を表示する表示装置では、視野内で眼前に見える画像情報と表示装置から得られる画像情報の二つの全く違う画像情報を同時に得ることが可能であることから、その利便性故にその活用範囲に大きな広がりを見せている。
【０００３】
ところが、ホログラムを使用した表示装置では画像表示においてホログラムの角度依存性のため上下左右方向に精度よく表示装置を配置しておく必要がある。換言すれば、ホログラムから出射する主光線の軸上に観察者の瞳を精度良く配置しておく必要がある。観察者の瞳に入る主光線の入射角度が変わると虚像として観察される表示画像の位置が変わるため入射角度を維持した状態で主光線が観察者の瞳に入るように表示装置の上下方向及び左右方向の位置調整を行うことが肝要となる。そのため、表示装置を観察者の瞳に対して上下方向と左右方向とに個別に移動可能で、所望の方向にのみ移動可能な支持方法が求められる。
【０００４】
表示装置の上下方向及び左右方向の位置調整を行うことができるウェアラブルディスプレイとして、特許文献１には、上下回動と左右回動とを可能に一端が支持された変形しないリジットアームと、このリジットアームの他端に、一端が連結され、他端に表示装置が固定されたフレキシブルアームとを有し、このフレキシブルアームは、３次元的な変形とねじれ変形が可能なものが適用されている。
【０００５】
また、特許文献２には、球状ジョイントによって３軸回りに回動可能に要素を連結したフレキシブルアームや、回動軸が９０度異なるジョイントを両端に有した要素を連結したフレキシブルアームによって表示装置を支持したウェアラブルディスプレイが記載されている。
【先行技術文献】
【特許文献】
【０００６】
【特許文献１】特開２００８−２２２３６号公報
【特許文献２】特開２０１３−２３９８１３号公報
【発明の概要】
【発明が解決しようとする課題】
【０００７】
以上の特許文献１，２に記載のウェアラブルディスプレイでも、たしかに表示装置の上下方向及び左右方向の位置調整を行うことができる。しかし、特許文献１に記載のものにあっては、表示装置の左右位置は適切で上下方向にずれがある場合に表示装置の上下位置のみの調整しようとするとき、リジットアームを上下回動させると、それと同時に左右回動も発生してずれてしまうおそれがあり、調整が容易でない。さらに、リジットアームを上下回動させると、表示装置も上下回動してしまうため、これをキャンセルするためにフレキシブルアームを変形させる必要があり、調整操作が煩雑である。そのフレキシブルアームも変形の自由度が高く、上下回動角のキャンセル量のみを生じさせるように変形させることが困難であり、他の方向についてのずれが生じ、さらにそのずれを直す調整操作が必要となって著しく調整困難となり得る。表示装置の左右位置のみの調整しようとするときも同様である。特許文献２に記載のものにあっても、アームの一端は、その他端に対して上下方向のみならず、左右方向にも移動するので同様に調整が容易でない。
【０００８】
本発明は以上の従来技術における問題に鑑みてなされたものであって、ウェアラブルディスプレイにおいて、表示装置の位置調整を容易にすることを課題とする。
【課題を解決するための手段】
【０００９】
以上の課題を解決するための請求項１記載の発明は、表示部材を介して装着者の瞳孔に画像光を導光する表示光学装置と、前記表示光学装置を支持する支持アームとを備え、
前記支持アームは、その一端の逆端に対する変位であって、当該一端におけるアーム中心軸に直交する一方向についての変位が、当該一端におけるアーム中心軸に直交する他の方向の変位に比較して容易に生じること、当該変位が生じても前記一端におけるアーム中心軸と前記逆端におけるアーム中心軸との平行を保つこと可能に支持することを特徴とするウェアラブルディスプレイである。
【００１０】
請求項２記載の発明は、前記支持アームを２本と、当該２本の支持アームを直列的に連結する中間連結部とを備え、
各支持アームの前記一方向についての変位の方向を容易変位方向と称するとして、
前記中間連結部は、アーム中心軸の方向を略９０度転換するとともに、当該中間連結部との連結端における両アーム中心軸と平行な面に対して、一方の支持アームの容易変位方向を略平行に、他方の支持アームの容易変位方向を略垂直にして連結することを特徴とする請求項１に記載のウェアラブルディスプレイである。
【００１１】
請求項３記載の発明は、前記中間連結部にカメラが設置され、前記中間連結部から前記表示光学装置までの間の支持アームの容易変位方向が上下方向であることを特徴とする請求項２に記載のウェアラブルディスプレイである。
【００１２】
請求項４記載の発明は、前記表示光学装置と前記支持アームとは、当該表示光学装置との連結端におけるアーム中心軸回りに回動自在に連結していることを特徴とする請求項１から請求項３のうちいずれか一に記載のウェアラブルディスプレイである。
【００１３】
請求項５記載の発明は、前記支持アームの中に電気配線が通されて設置されたことを特徴とする請求項１から請求項４のうちいずれか一に記載のウェアラブルディスプレイである。
【００１４】
請求項６記載の発明は、前記支持アームが、眼鏡型のフレームのテンプルに着脱可能に連結されることを特徴とする請求項１から請求項５のうちいずれか一に記載のウェアラブルディスプレイである。
【００１５】
請求項記７載の発明は、前記支持アームは、眼鏡型のフレームの左右いずれのテンプルにも着脱可能に連結されるとともに、前記表示光学装置に着脱可能に連結され、左のテンプルに支持されて装着者の左目前に配置される前記表示光学装置を支持すること、及び右のテンプルに支持されて装着者の右目前に配置される前記表示光学装置を支持することに共用可能に構成されたことを特徴とする請求項１から請求項５のうちいずれか一に記載のウェアラブルディスプレイである。
【００１６】
請求項８記載の発明は、前記支持アームは、アーム中心軸及び容易変位方向に平行な面に直交する軸回りに回動する１軸継手により連結される複数の要素からなることを特徴とする請求項１から請求項７のうちいずれか一に記載のウェアラブルディスプレイである。
【００１７】
請求項９記載の発明は、前記複数の要素のそれぞれは、一端に形成されたオス嵌合部と、その逆端に形成され、隣接する他の要素における前記オス嵌合部と嵌合し前記１軸継手を構成するメス嵌合部とを一体に有する一部品であることを特徴とする請求項８に記載のウェアラブルディスプレイである。
【００１８】
請求項１０記載の発明は、前記複数の要素のそれぞれは、前記オス嵌合部の先端面から前記メス嵌合部に貫通するトンネルを有し、
隣接するいずれの２つの前記要素も、一方の要素の前記オス嵌合部と他方の要素の前記メス嵌合部との嵌合に伴い、両者の前記トンネルを連結させる請求項９に記載のウェアラブルディスプレイである。
【００１９】
請求項１１記載の発明は、前記複数の要素のそれぞれは、容易変位方向の寸法に比較して、アーム中心軸及び容易変位方向に垂直な方向の寸法が長く形成された扁平形状である請求項８から請求項１０のうちいずれか一に記載のウェアラブルディスプレイである。
【００２０】
請求項１２記載の発明は、前記支持アームは、容易変位方向を厚み方向としアーム中心軸方向に延びる板状であることを特徴とする請求項１から請求項７のうちいずれか一に記載のウェアラブルディスプレイである。
【発明の効果】
【００２１】
本発明によれば、ウェアラブルディスプレイにおいて、表示光学装置を支持する支持アームの一端は一方向に変位容易であり他の方向に変位困難であるため、当該一方向についての調整操作に特化することができ、他の方向についてのずれが抑えられるから、表示装置の位置調整を容易にすることができる。
【図面の簡単な説明】
【００２２】
【図１】本発明の第１実施形態に係るウェアラブルディスプレイの装着状態を示す斜視図である。
【図２】本発明の第１実施形態に係るウェアラブルディスプレイの斜視図である。
【図３】本発明の第１実施形態に係るウェアラブルディスプレイのフレキシブル支持アームを含む一部を示す斜視図である。
【図４】本発明の第１実施形態に係るウェアラブルディスプレイの中間連結部の左側面の一部を示す図である。
【図５】本発明の第１実施形態に係るウェアラブルディスプレイの装着状態を示す正面図であり、フレキシブル支持アームが直線状にされた状態を示す。
【図６】本発明の第１実施形態に係るウェアラブルディスプレイのフレキシブル支持アームを含む一部を示すアーム中心軸方向断面図であり、フレキシブル支持アームが直線状にされた状態を示す。
【図７】本発明の第１実施形態に係るウェアラブルディスプレイの装着状態を示す正面図であり、フレキシブル支持アームがＳ字状にされた状態を示す。
【図８】本発明の第１実施形態に係るウェアラブルディスプレイのフレキシブル支持アームを含む一部を示すアーム中心軸方向断面図であり、フレキシブル支持アームがＳ字状にされた状態を示す。
【図９】本発明の第１実施形態に係るウェアラブルディスプレイの装着状態を示す斜視図であり、左右共用の形態に係る。
【図１０】本発明の第１実施形態に係るウェアラブルディスプレイの装着状態を示す斜視図であり、左右共用の形態に係り、右用から左用に切り替える様子を示す。
【図１１】本発明の第２実施形態に係るウェアラブルディスプレイの装着状態を示す斜視図である。
【図１２】本発明の第２実施形態に係るウェアラブルディスプレイのフレキシブル支持アームを含む一部を示す斜視図である。
【図１３】本発明の第１，第２実施形態にかかるウェアラブルディスプレイを含んだウェアラブルコンピューター全体の主要回路のブロック図である。
【図１４】本発明の第１，第２実施形態に係るウェアラブルディスプレイの表示光学装置の光軸方向断面図である。
【発明を実施するための形態】
【００２３】
以下に本発明の一実施形態につき図面を参照して説明する。以下は本発明の一実施形態であって本発明を限定するものではない。
【００２４】
〔第１実施形態〕
まず、本発明の第１実施形態につき図１から図１０を参照して説明する。
【００２５】
（概要）
図示するように本実施形態のウェアラブルディスプレイ１Ａは、テンプル固定部１０と、アーム基端部２０と、フレキシブル支持アーム３０と、中間連結部４０と、フレキシブル支持アーム５０と、アーム先端部６０と、表示光学装置７０と備え、以上の順序で直列的に連結した構成であり、眼鏡型のフレーム８０のテンプル（右テンプル８１Ｒ又は左テンプル８１Ｌ）に取り付けられて使用される。
【００２６】
アーム基端部２０から、表示光学装置７０まで内部空洞を連続させており、内部にデバイス、回路基板や電気配線が設置され、特に中間連結部４０にはカメラ４１及び照度センサー４２が設置され、アーム基端部２０から延び出したケーブル２１を介してモバイルコンピューターに接続可能である（電気回路系の詳細を後述する。）。
【００２７】
表示光学装置７０は、表示部材７１を介して装着者の瞳孔に画像光を導光するものである。表示部材７１は筐体７２から突設され、外界の光を透過させて装着者の瞳に入射させることが可能なシースルー型の表示部材を構成する（表示光学系の詳細を後述する。）。装着者は、外界の実観察像と、その実観察像の一部に重畳して表示部材７１を介して導光される画像光による表示画像（虚像）を視覚することができ、その表示画像の範囲でも表示部材７１を透過して実観察像を視覚することができる。
【００２８】
（機械的構成）
表示光学装置７０の表示部材７１を装着者の眼前に配置して支持し、またその位置を調整するための支持機構につき説明する。なお、装着者の左右方向をＸ、前後方向をＹ、上下方向をＺとした直交３軸ＸＹＺを図中に示す。図１，２に示すように、右テンプル８１Ｒに支持される形態を基本に説明する。左用に構成する場合は、適宜に左右を読み替える。
【００２９】
テンプル固定部１０が右テンプル８１Ｒに固定される。テンプル固定部１０は、その下端部１１がテンプル８１を挟持することでテンプル８１に固定され、着脱可能である。テンプル固定部１０の上端部１２にアーム基端部２０が固定される。図１，２には、テンプル固定部１０の上端部１２とアーム基端部２０とが一体に形成された形態のものを示す。アーム基端部２０の前端にフレキシブル支持アーム３０の後端が連結される。フレキシブル支持アーム３０の前端に中間連結部４０が連結される。中間連結部４０の左端にフレキシブル支持アーム５０の右端が連結される。フレキシブル支持アーム５０の左端にアーム先端部６０の右端が連結される。アーム先端部６０の左端に表示光学装置７０の右端が連結される。
【００３０】
表示光学装置７０に近い方から１本目のフレキシブル支持アーム５０は、表示光学装置７０の上下方向位置の調整用に設けられている。フレキシブル支持アーム５０は、複数の要素５１，５１，・・・の連結により構成されたものである。本実施形態では、その数は６つで、個々の区別のために図３，６，８において５１ａ、５１ｂ．５１ｃ，５１ｄ，５１ｅ，５１ｆの符号を付す。各要素５１は、一端に形成されたオス嵌合部５１ｍと、その逆端に形成されたメス嵌合部５１ｎとを一体に有する一部品である。このオス嵌合部５１ｍ（メス嵌合部５１ｎ）は、隣接する他の要素におけるメス嵌合部５１ｎ（オス嵌合部５１ｍ）と嵌合し、Ｙ軸回りに回動する１軸継手を構成する。したがって、フレキシブル支持アーム５０は、その一端（５１ｆ）の逆端（５１ａ）に対する変位であって、当該一端（５１ｆ）におけるアーム中心軸に直交する一方向（Ｚ方向）についての変位が、当該一端（５１ｆ）におけるアーム中心軸に直交する他の方向（Ｙ方向）のそれに比較して容易に生じることを可能にして表示光学装置７０を支持する。ここで、アーム中心軸は、図３，５，６に示す状態で、全要素５１ａ−５１ｆに亘ってＸ方向に直線状に存在し、図７，８に示す状態で屈曲するが、ＸＺ面に存在する。支持アームの容易変位方向は、Ｚ方向となる。オス嵌合部５１ｍとメス嵌合部５１ｎとによる１軸継手は、アーム中心軸及び容易変位方向に平行なＸＺ面に直交するＹ軸回りに回動するように連結する継手となっている。
【００３１】
フレキシブル支持アーム５０の一端（５１ｆ）に所定以上の外力を加えるとき、５組のオス嵌合部５１ｍとメス嵌合部５１ｎとによる５つの１軸継手という機械機構により、例えば、図５，６に示す形態と図７，８に示す形態との間で相互に、当該一端（５１ｆ）はＺ方向に容易に変位し、他の方向に関しては機械機構による変位は生じない。オス嵌合部５１ｍとメス嵌合部５１ｎとは互いの接触面に一定の圧力を生じさせて嵌合し摩擦係合しており、互いに接触面で摺動して１軸継手における回動を可能にするとともに、外力が無くなっても、その形態（回動角）を維持する。また、各要素５１はそのオス嵌合部５１ｍとメス嵌合部５１ｎを含めて、Ｚ方向に比較してＹ方向に長く形成された扁平形状にされている。したがって、Ｙ方向に機械機構による変位が生じないにしても、部材の変形等によるＹ方向の撓みは生じにくくされている。したがって、フレキシブル支持アーム５０の一端（５１ｆ）にＺ方向の外力を加えてＺ方向の変位を一定量得てその外力を取り除いた時にもその変位量を維持することは比較的容易に可能であるが、これに対して、他の方向については不可能ないし困難である。
【００３２】
また、フレキシブル支持アーム５０は、図７，８に示すように、Ｚ方向の変位が生じても一端（５１ｆ）におけるアーム中心軸と逆端（５１ａ）におけるアーム中心軸との平行を保つこと可能に支持する。これは、上述した複数の１軸継手が互いに相殺するように回動し、フレキシブル支持アーム５０の全体のアーム中心軸をＳ字状に変形させることにより実現している。したがって、１軸継手の数を複数とする。１軸継手の数は本実施形態では５つであるが、これは一例であってアーム全長や必要な変位量等に応じて適宜に設計される。
【００３３】
中間連結部４０と、要素５１ａとの連結は、中間連結部４０の左端に突出するように形成されたオス嵌合部５１ｍに、要素５１ａのメス嵌合部５１ｎを嵌合させることによる。なお、中間連結部４０と、要素５１ａとの連結部には回動しろを設けていない。要素５１ｆと、アーム先端部６０との連結は、アーム先端部６０の右端から凹むように形成されたメス嵌合部５１ｎに、要素５１ｆのオス嵌合部５１ｍを嵌合させることによる。なお、アーム先端部６０と、要素５１ｆとの連結部には回動しろを設けていない。フレキシブルな部分（可変部分）のみを指して「フレキシブル支持アーム３０，５０」と呼ぶ。固定端（テンプル固定部１０）から可動端（アーム先端部６０）までの支持アーム全体のうち、一の区間をフレキシブル支持アーム３０により、他の一の区間をフレキシブル支持アーム５０により可変部分として構成するものである。
【００３４】
表示光学装置７０とフレキシブル支持アーム５０とは、アーム中心軸回りに回動自在に連結している。この回動を実現するために、例えば、図６，８に示すようにアーム先端部６０と筐体７２の接続開口部７２ａとがアーム中心軸（図６，８においてＸ方向の軸）回りに回動自在に嵌合する。この回動機構により、表示部材７１のＸ軸回りの角度（煽り角）が調整可能である。煽り角を調整すると、表示光学装置７０による表示画像を装着者からの見た目で上下に位置調整することができ、装着者は、視界内における表示画像の上下位置を所望の位置に調整することができる。また、大きく煽ると視界内から表示画像を外すことができ、これにより実観察像のみを視界に入れることができる。
【００３５】
複数の要素５１のそれぞれは、オス嵌合部５１ｍの先端面からメス嵌合部５１ｎに貫通するトンネル５１ｔを有する。そのため、隣接するいずれの２つの要素（例えば５１ａと５１ｂ）も、一方の要素（５１ａ）のオス嵌合部５１ｍと他方の要素（５１ｂ）のメス嵌合部５１ｎとの嵌合に伴い、両者のトンネル（５１ａ−ｔと５１ｂ−ｔ）を連結させる。中間連結部４０のオス嵌合部５１ｍの先端面に開口する内部空洞から、各要素５１のトンネル５１ｔ及びアーム先端部６０のトンネル６０ｔを介して筐体７２内の内部空洞までが連通し、その中に電気配線９０が通されて設置され、電気配線９０の終端のコネクタ９０ａが、アーム先端部６０に回転自由にアーム軸方向に支持されて、筐体７２に設置されるコネクタ７２ｂに接続する。なお、アーム先端部６０と表示光学装置７０とを回転自在に連結しない場合は、アーム先端部６０とコネクタ９０ａとを一体的に固定し、コネクタ９０ａとコネクタ７２ｂとに備わる機械的接続機構をもってアーム先端部６０と表示光学装置７０とを連結することとしてもよい。
【００３６】
ユーザーによる上下方向位置調整方法の例としては、以下を挙げる。一方の手で中間連結部４０を摘まんで、他方の手で表示光学装置７０を摘まんで上又は下に移動させる。又は、一方の手で中間連結部４０を摘まんで、他方の手で要素５１ｆ及びアーム先端部６０をともに摘まんで上又は下に移動させる。
【００３７】
なお、煽り角の調整方法は以下の例を挙げる。一方の手で要素５１ｆ及びアーム先端部６０をともに摘まんで、他方の手で表示光学装置７０を摘まんでＸ軸回りに回動させる。
【００３８】
表示光学装置７０に近い方から２本目のフレキシブル支持アーム３０は、表示光学装置７０の左右方向位置の調整用に設けられている。フレキシブル支持アーム３０もフレキシブル支持アーム５０と同様の機械機構であり、適用される要素５１も同じパーツであるが、以下の点で異なる。フレキシブル支持アーム３０は、上述したようにアーム基端部２０と中間連結部４０とを繋ぐものである。また、フレキシブル支持アーム３０はＹ方向に長く延在し、構成する各要素はＸ方向に比較してＺ方向に長く形成された扁平形状にされており、容易変位方向はＸ方向である。したがって、フレキシブル支持アーム３０の一端にＸ方向の外力を加えてＸ方向の変位を一定量得てその外力を取り除いた時にもその変位量を維持することは比較的容易に可能であるが、これに対して、他の方向については不可能ないし困難である。
【００３９】
図示しないが、アーム基端部２０とフレキシブル支持アーム３０との連結は、中間連結部４０とフレキシブル支持アーム５０とのオスメス嵌合と同様であり、フレキシブル支持アーム３０と中間連結部４０との連結は、フレキシブル支持アーム５０とアーム先端部６０とのオスメス嵌合と同様である。アーム基端部２０から、フレキシブル支持アーム３０を介して中間連結部４０までも、内部空洞が連通し、そこに電気配線９０等が設置される。
【００４０】
ユーザーによる左右方向位置調整方法の例としては、以下を挙げる。一方の手でアーム基端部２０を摘まんで、他方の手で中間連結部４０を摘まんで右又は左に移動させる。
【００４１】
以上の説明からもわかるように、中間連結部４０は、アーム中心軸の方向を略９０度転換する。すなわち、中間連結部４０に接続するフレキシブル支持アーム３０の前端におけるアーム中心軸が図１，２の状態でＹ方向であるのに対し、中間連結部４０に接続するフレキシブル支持アーム５０の右端におけるアーム中心軸が図１，２の状態でＸ方向であり、９０度に交わる。この転換角度は、中間連結部４０の構造によるものであり、フレキシブル支持アーム３０，５０が直線状でない他の形態に変わっても変わらない。本実施形態のウェアラブルディスプレイ１Ａは、この９０度の転換角度をＺ軸回りに適用することにより、装着者のこめかみ付近から眉付近までの頭部表面に沿わせて配置されるようになっている。
【００４２】
それとともに、中間連結部４０は、中間連結部４０との連結端における両アーム中心軸と平行な面（図１，２でＸＹ平面）に対して、一方のフレキシブル支持アーム３０の容易変位方向を略平行に、他方のフレキシブル支持アーム５０の容易変位方向を略垂直にして連結する。すなわち、この２本のフレキシブル支持アーム３０，５０が中間連結部４０で延出方向を互いに直交するように配置すると共に、それぞれのフレキシブル支持アーム３０，５０の回動する回動面も互いに直交するように配置する。
【００４３】
以上により、２本のフレキシブル支持アーム３０，５０の連結構造において、フレキシブル支持アーム３０に左右方向に限定された調整機構を、フレキシブル支持アーム５０に上下方向に限定された調整機構を分担させることができる。なお、他方のフレキシブル支持アーム５０の容易変位方向をＸＹ平面に平行にしてしまうと、フレキシブル支持アーム５０の回動する回動面がフレキシブル支持アーム３０の回動する回動面と同じくＸＹ面ととなり、フレキシブル支持アーム５０が前後方向の位置調整用になる。
【００４４】
表示光学装置７０に近い方から１本目のフレキシブル支持アーム５０が、表示光学装置７０の上下方向位置の調整用に設けられていることで、表示光学装置７０の重量を含めた支持重量が小さく抑えられ、従って支持重量、又は支持重量に装着者の運動等に伴う外乱が加わることによるフレキシブル支持アーム５０の変位が抑えらえる。また、フレキシブル支持アーム５０は、装着者から見て薄いので、より前方に近い範囲において視界を妨げる面積を小さくすることができる。
【００４５】
ここで、図９，１０を参照して、支持アームを左右共用にする形態につき説明する。  図９に示すウェアラブルディスプレイ１Ｂにあっては、図１，２に示した形態と異なり、テンプル固定部１０の上端部１２とアーム基端部２０とが着脱自在に連結される。例えば、図示するように上下方向の相対移動させることにより嵌合して連結するものが好ましい。図９に示す状態から、アーム先端部６０を筐体７２の接続開口部７２ａから引き抜いて取り外し、アーム基端部２０をテンプル固定部１０から取り外し、テンプル固定部１０を右テンプル８１Ｒから取り外す。図１０に示すように、テンプル固定部１０を左テンプル８１Ｌに、アーム基端部２０との嵌合部分が外側を向くように取り付け、アーム先端部６０からアーム先端部６０までの一連のアームを左右対称に反転し、アーム先端部６０を筐体７２の左側面に設けられた接続開口部７２ａに挿し込んで連結し、アーム基端部２０をテンプル固定部１０に連結する。
【００４６】
以上のように、ウェアラブルディスプレイ１Ｂにあっては、支持アームは、その基端側が眼鏡型のフレームの左右いずれのテンプルにも着脱可能に連結されるとともに、その先端側が表示光学装置７０に着脱可能に連結され、左テンプル８１Ｌに支持されて装着者の左目前に配置される表示光学装置を支持すること、及び右テンプル８１Ｒに支持されて装着者の右目前に配置される表示光学装置７０を支持することに共用可能に構成されたものである。これにより資材を効率的に利用できる。
【００４７】
さらに、表示光学装置７０をも左右両用にする場合には、左右両側面に接続開口部７２ａ，７２ａを形成し、コネクタ７２ｂを左右の接続開口部７２ａ，７２ａのそれぞれに設ける。これにより、新たなパーツ、モジュールを追加することなく左右両用に構成することができる。すなわち、図９に示されるウェアラブルディスプレイ１Ｂの１セットがあれば、左眼用にも右眼用にも構成することができる。２セットあれば、左眼及び右眼の両方に表示光学装置７０を設置できる。
【００４８】
この左右両用の表示光学装置７０の場合、コネクタ９０ａが左右のいずれか一方のコネクタ７２ｂに接続すると、電気的接続が確立するように電気回路を構成する。接続しない方のコネクタ７２ｂが配置される接続開口部７２ａは、絶縁キャップ部材が挿し込まれ封止される。
【００４９】
なお、フレキシブル支持アーム３０と中間連結部４０の上面、下面の高さ位置はほぼ一致している。ウェアラブルディスプレイ１Ｂにあっては、中間連結部４０とフレキシブル支持アーム５０との連結位置を、中間連結部４０の上下方向の中央として、左用と右用とで形態が異ならないようにされている。図１〜図８に示したウェアラブルディスプレイ１Ａにあっては、中間連結部４０の上面に、フレキシブル支持アーム５０の上面が段差なく連続するように、中間連結部４０の上下方向の中央より上方の位置にフレキシブル支持アーム５０を連結した。フレキシブル支持アーム５０をより上方に配置して装着者の視界を、より妨げないようにするためである。
【００５０】
〔第２実施形態〕
次に、本発明の第２実施形態につき図１１及び図１２を参照して説明する。本実施形態のウェアラブルディスプレイ１Ｃは、上記第１実施形態の機械機構によるフレキシブル支持アーム３０を、フレキシブル支持アーム３０Ｃに置き換え、上記第１実施形態の機械機構によるフレキシブル支持アーム５０を、フレキシブル支持アーム５０Ｃに置き換えたものであり、その他は、容易変位方向等も同じであり、同様に実施するものである。
【００５１】
フレキシブル支持アーム３０Ｃの容易変位方向はＸ方向であり、フレキシブル支持アーム５０Ｃの容易変位方向はＺ方向である。フレキシブル支持アーム３０Ｃ，５０Ｃはそれぞれ、容易変位方向を厚み方向としアーム中心軸方向に長く延びる板状である。すなわち、アーム中心軸方向を長手方向とした長い板状であり、アーム中心軸に垂直な断面における一方向が厚み方向で短く、当該一方向に直交する方向が幅方向で長くされている。
【００５２】
フレキシブル支持アーム３０Ｃ，５０Ｃは、弾性領域をほぼ持たず塑性変形し易い特性を持った材料が適用され、その断面形状により厚み方向には変形容易で、幅方向には変形し難い支持部材を構成する。表示光学装置７０の上下方向はフレキシブル支持アーム５０Ｃで、表示光学装置７０の左右方向はフレキシブル支持アーム３０Ｃの塑性変形により上下左右で独立して移動調整を行うので所望の位置に容易に調整が可能となる。
【００５３】
フレキシブル支持アーム３０Ｃ，５０Ｃは、ＦＰＣ等のフレキシブル基板の上下に鉛を主とする塑性変形し易い金属などを貼り合わせることで構成することができる。このように構成すると、フレキシブル支持アーム３０Ｃ，５０Ｃが表示部支持部材と電気的配線部材を兼ねることができ、別途配線を行う必要が無いので装置のスリム化が図れる。フレキシブル支持アーム３０Ｃ，５０Ｃの表面は、PCV等の絶縁保護膜で覆うとよい。
【００５４】
（電気回路系の詳細）
図１３は、ウェアラブルコンピューター（１Ａ，１Ｂ，１Ｃ共通）の主要回路のブロック図である。表示光学装置７０の筐体７２内に設置される回路基板７２ｃ上には、表示素子７３ｅ（図１４）を駆動するための駆動回路である表示パネルドライバー７２ｄ、光源７３ａ（図１４）を駆動するための回路である光源駆動回路７２ｅ、電源回路２０３が設けられている。
【００５５】
中間連結部４０内に設置される回路基板４３上には、カメラ４１と、周辺環境の明るさを検知する照度センサー４２が設けられている。照度センサー４２は、ジェスチャー入力のために近接センサーの機能を有したものを適用することが好ましい。また、照度センサー４２とは別に、近接センサーを中間連結部４０に設けてもよい。
【００５６】
照度センサー４２からの出力に基づいて、光源駆動回路７２ｅや表示パネルドライバー７２ｄを制御して、表示部材７１に表示される画像の輝度を調整することで、ユーザーが見やすい画像にすることができる。アーム基端部２０内に設置される中継回路基板２２には、ジャイロ２２ａ、電子コンパス２２ｂ、スピーカ２２ｃ、マイク２２ｄに加えて、各種情報を記憶するＥＥＰＲＯＭ２２ｅ及び電源回路２０２が設けられている。電源回路２０２は、中継回路基板２２上の各部への給電を行うとともに、後段の表示光学装置７０、中間連結部４０への電力供給を中継する。中間連結部４０の電源回路を図示省略する。
【００５７】
モバイルコンピューター１００内に設置される回路基板１１０には、全体の制御を司るＣＰＵ１０１、プログラムや各種情報を記憶するＲＯＭ１０２、ＲＡＭ１０３、無線通信デバイス１０４、１０５、システム全体の電源のオンオフや各種の指示を行うための操作部１０６、フラッシュメモリなどのストレージデバイス１０７や外部機器との接続を行うためのインターフェース１０８、着脱可能とされたバッテリー２００に接続される電源回路２０１を備えている。制御信号や各種の情報をやり取りするための信号伝送路、及び、電力供給を行うための電力伝送路がコネクタ１０９を介して、ケーブル２１に接続されるように構成されている。表示光学装置７０の回路基板７２ｃと、アーム基端部２０の中継回路基板２２との間の信号伝送路と電力伝送路は電気配線９０で接続されている。なお、アーム基端部２０の中継回路基板２２と中間連結部４０の回路基板４３とを繋ぐ電気配線４４は、フレキシブル支持アーム３０内に通される。
【００５８】
以上説明したように、ケーブル２１に接続されるユニット（モバイルコンピューター１００）と、表示光学装置７０との間の信号及び電力の伝送路が、ケーブル２１、中継回路基板２２及び電気配線９０により形成される。ケーブル２１に接続されるユニット（モバイルコンピューター１００）と、アーム基端部２０内のデバイスとの間の信号及び電力の伝送路が、ケーブル２１及び中継回路基板２２により形成される。ケーブル２１に接続されるユニット（モバイルコンピューター１００）と、中間連結部４０内のデバイスとの間の信号及び電力の伝送路が、ケーブル２１、中継回路基板２２、電気配線４４及び回路基板４３により形成される。
【００５９】
（表示光学系の詳細）
図１４は、表示光学装置７０における表示光学系の概略の構成を示す断面図である。光源７３ａからの光を、照明ミラー７３ｂによって反射し、横方向のみ拡散する１方向拡散板７３ｃと偏光板７３ｄを貼り合わせた素子を介して、偏光ビームスプリッタ（Ｐｏｌａｒｉｚｉｎｇ Ｂｅａｍ Ｓｐｌｉｔｔｅｒ： ＰＢＳ）７３ｆに入射させる。光源７３ａとしては、ＲＧＢの３つの発光点を１パッケージ内に持つＬＥＤが２つ（中心軸に対称に配置）使われる。
【００６０】
偏光板７３ｄを透過した偏光はＰＢＳ７３ｆで反射されるように方向が揃えてある。ＰＢＳ７３ｆで反射された光は、反射型液晶表示素子７３ｅによって変調され、画像信号がＯＮの時には偏光方向が回転し、ＰＢＳ７３ｆを透過する。ＰＢＳ７３ｆを透過した光は接眼プリズム７１ａに入射し、２つの平行な全反射面で１回ずつ反射したのち、ホログラム素子（ＨＯＥ）７１ｂに入射する。ＨＯＥ７１ｂは特定の波長（ＲＧＢに対応する３つの波長）の光のみを回折し、装着者の瞳Ｂに向けるように設けられている。偏向プリズム７１ｃと接眼プリズム７１ａとはＨＯＥ７１ｂが設置される傾斜面で接合し平行平板状に表示部材７１を形成する。これにより、装着者が表示部材７１を介して観察する外界像に歪みが生じるのを防止する。
【００６１】
（作用効果その他）
以上の実施形態のウェアラブルディスプレイによれば、テンプル固定部１０から表示光学装置７０までの支持アーム全体において、表示部材７１の左右方向の位置調整、上下方向の位置調整、さらには煽り角調整を、異なる区間に特化して設けることができ、ユーザーは表示部材７１の左右方向の位置調整、上下方向の位置調整、さらには煽り角調整を順に行うことができるから、表示装置の位置調整を容易にすることができる。
カメラ４１や照度センサー４２、近接センサーが中間連結部４０に設けられ、中間連結部４０を支持するフレキシブル支持アーム５０が左右位置調整用であるので、表示光学装置７０が煽られても、カメラ４１や照度センサー４２、近接センサーを常に正面に向けさせておくことが容易である。
【００６２】
モバイルコンピューター１００が装着者の衣服、バッグなどに任意の向きで収められても、ジャイロ２２ａ、電子コンパス２２ｂはアーム基端部２０に配置されているので、正確に、装着者の頭部の運動や姿勢を検出することができる。ＧＰＳもアーム基端部２０に配置してもよい。また、スピーカ２２ｃ、マイク２２ｄは、アーム基端部２０に配置されているので、モバイルコンピューター１００の配置によらず、スピーカ２２ｃ、マイク２２ｄを装着者の頭蓋近くに配置しておくことができる。
【００６３】
なお、以上の実施形態では、フレキシブル支持アーム３０とフレキシブル支持アーム５０を連結して上下左右の位置調整可能な構成としたが、どちらか一方の調整が必要ない場合は、該当するフレキシブル支持アームのみを備えた構成を実施してもよい。以上の実施形態では、フレキシブル支持アーム３０は、眼鏡型のフレーム８０のテンプルに対して着脱可能としている。これは、装着者個々の眼鏡に取付可能とするためである。なお、テンプル固定部１０はテンプルの延在方向（略前後方向）に沿ってその取付位置を調整可能である。本ウェアラブルディスプレイに専用の眼鏡型のフレームを用いる場合は、その専用の眼鏡型のフレームとフレキシブル支持アームとが着脱不可の構成を実施してもよい。以上の実施形態では、中間連結部４０にカメラ４１を配置しているが、カメラ不要の場合は配置する必要はなく、カメラを配置しない分中間連結部４０をよりコンパクトにすることができる。以上の実施形態では、電気配線をフレキシブル支持アーム３０，５０の中に通したが、電気配線を通さずフレキシブル支持アーム３０，５０の外に配置して実施してもよい。
【符号の説明】
【００６４】
１Ａ   ウェアラブルディスプレイ
１Ｂ   ウェアラブルディスプレイ
１Ｃ   ウェアラブルディスプレイ
１０   テンプル固定部
２０   アーム基端部
２１   ケーブル
３０   フレキシブル支持アーム（左右調整用）
３０Ｃ フレキシブル支持アーム（左右調整用）
４０   中間連結部
４１   カメラ
４２   照度センサー
５０   フレキシブル支持アーム（上下調整用）
５０Ｃ フレキシブル支持アーム（上下調整用）
５１   フレキシブル支持アームの要素
５１ｍ オス嵌合部
５１ｎ メス嵌合部
５１ｔ トンネル
６０   アーム先端部
７０   表示光学装置
７１   表示部材
７２   筐体
７２ａ 接続開口部
７２ｂ コネクタ
８０   眼鏡型のフレーム
８１Ｌ 左テンプル
８１Ｒ 右テンプル
９０   電気配線
９０ａ コネクタ
１００ モバイルコンピューター
【図１】
2017022668.tif 000003
【図２】
2017022668.tif 000004
【図３】
2017022668.tif 000005
【図４】
2017022668.tif 000006
【図５】
2017022668.tif 000007
【図６】
2017022668.tif 000008
【図７】
2017022668.tif 000009
【図８】
2017022668.tif 000010
【図９】
2017022668.tif 000011
【図１０】
2017022668.tif 000012
【図１１】
2017022668.tif 000013
【図１２】
2017022668.tif 000014
【図１３】
2017022668.tif 000015
【図１４】
2017022668.tif 000016